(57)【要約】【課題】小型化が可能であるとともに組み付けが容易である表示装置を提供する。【解決手段】互いに異なる位置に配設される第１の照明対象部４２及び第２の照明対象部７２ａを有する表示装置であって、前記第１の照明対象部４２の照明及び前記第２の照明対象部７２ａの照明に共用される照明用光源８０と、前記照明用光源８０と前記第１の照明対象部４２との間に設けられ、前記照明用光源８０が発する光を前記第１の照明対象部４２に導く第１の導光部材６１と、前記照明用光源８０と前記第２の照明対象部７２ａとの間に設けられ、前記照明用光源８０が発する光を前記第２の照明対象部７２ａに導くとともに、前記第１の導光部材６１の透光率と異なる透光率を有する第２の導光部材７２ｂとを設ける。【選択図】図３
2008311056.tif 000002
【特許請求の範囲】
【請求項１】
互いに異なる位置に配設される第１の照明対象部及び第２の照明対象部を有する表示装置であって、
前記第１の照明対象部の照明及び前記第２の照明対象部の照明に共用される照明用光源と、
前記照明用光源と前記第１の照明対象部との間に設けられ、前記照明用光源が発する光を前記第１の照明対象部に導く第１の導光部材と、
前記照明用光源と前記第２の照明対象部との間に設けられ、前記照明用光源が発する光を前記第２の照明対象部に導くとともに、前記第１の導光部材の透光率と異なる透光率を有する第２の導光部材と、を備えたことを特徴とする表示装置。
【請求項２】
請求項１に記載の表示装置において、
前記第１の照明対象部は、前記第２の照明対象部よりも前記照明用光源から遠い位置に設けられ、
前記第１の導光部材は、前記照明用光源が発する光を当該第１の導光部材が前記第１の照明対象部に導く導光路が、前記照明用光源が発する光を前記第２の導光部材が前記第２の照明対象部に導く導光路よりも長くなるような形状を有し、
前記第１の導光部材の単位長さあたりの透光率は、前記第２の導光部材の単位長さあたりの透光率よりも高いことを特徴とする表示装置。
【請求項３】
請求項１または２に記載の表示装置において、
前記第１の導光部材と前記第２の導光部材とが二色成形されることにより単一の合成導光部材を構成するとともに、
前記第１の導光部材が前記第１の照明対象部と前記照明用光源との間に介在し、かつ、前記第２の導光部材が前記第２の照明対象部と前記照明用光源との間に介在する位置に、前記合成導光部材が配置されていることを特徴とする表示装置。
【請求項４】
請求項１〜３のいずれかに記載の表示装置において、
前記照明用光源は、前記第１の照明対象部と前記第２の照明対象部との中間位置と略対向する位置に設けられることを特徴とする表示装置。
【請求項５】
請求項１〜４のいずれかに記載の表示装置において、
所定の軸周りに回転可能な操作ノブを備え、
当該操作ノブの表面にこの操作ノブと一体に回転可能なように前記第１の照明対象部が設けられており、
前記操作ノブの表面から裏面側に離間した位置であって、平面視で当該操作ノブの外側を囲む位置に前記第２の照明対象部が設けられており、
前記照明用光源により前記第１の照明対象部および前記第２の照明対象部が照明されることで、前記操作ノブの回転位置が表示されるとともに当該操作ノブの外周部分が照明されることを特徴とする表示装置。
【発明の詳細な説明】
【技術分野】
【０００１】
本発明は、複数の照明対象部を有する表示装置に関するものである。
【背景技術】
【０００２】
従来、自動車のインストゥルメントパネル等には、スイッチの操作状態等を表示する表示装置が設けられている。また、この表示装置としては、夜間等においても前記操作状態等が認識されるようにこの操作状態等を表示する部分を所定の照明用光源により照明するものがある。
【０００３】
例えば、特許文献１には、操作ノブを有するスイッチに用いられて、前記操作ノブの操作状態等を表示する照明対象部を有する表示装置が開示されている。この表示装置には、前記操作ノブの位置や操作状態を表示するための複数の照明対象部と、これら複数の照明対象部をそれぞれ個別に照明するための複数の照明用光源とが設けられている。そして、この表示装置では、各照明用光源がそれぞれ対応する各照明対象部を個別に照明することで、前記操作ノブの操作状態等を表示している。
【特許文献１】特開平１１−１６２２８０号公報
【発明の開示】
【発明が解決しようとする課題】
【０００４】
前記自動車のインストゥルメントパネル等では、前記のような表示装置を多数搭載する必要があり、各表示装置の小型化および組み付けが容易であることが求められている。しかしながら、前記のような従来の表示装置では、照明対象部の裏面側に複数の照明用光源が設けられており、表示装置全体の小型化が困難になるとともに組み付けに手間がかかるという問題がある。
【０００５】
本発明は、このような事情に鑑み、小型化が可能であるとともに組み付けが容易である表示装置の提供を目的とする。
【課題を解決するための手段】
【０００６】
前記課題を解決するための手段として、本発明は、互いに異なる位置に配設される第１の照明対象部及び第２の照明対象部を有する表示装置であって、前記第１の照明対象部の照明及び前記第２の照明対象部の照明に共用される照明用光源と、前記照明用光源と前記第１の照明対象部との間に設けられ、前記照明用光源が発する光を前記第１の照明対象部に導く第１の導光部材と、前記照明用光源と前記第２の照明対象部との間に設けられ、前記照明用光源が発する光を前記第２の照明対象部に導くとともに、前記第１の導光部材の透光率と異なる透光率を有する第２の導光部材と、を備えたことを特徴とする表示装置を提供する（請求項１）。
【０００７】
このような構造によれば、前記第１の照明対象部と第２の照明対象部とがそれぞれ所望の照度で効率よく照明されるとともに、照明用光源の数の削減が可能となる。このことは、表示装置の小型化を可能にするとともに表示装置の組み付けを容易にする。すなわち、前記構造では、前記第１の導光部材および前記第２の導光部材が、前記共用の照明用光源が発する光をそれぞれ前記第１の照明対象部および前記第２の照明対象部に効率よく導くので、照明対象部毎に照明用光源を設ける必要がなくなる。そして、これら第１の導光部材の透光率と第２の導光部材の透光率とが異なることで、各照明対象部が異なる位置に配置されているにも関わらず、これら照明対象部を個別の照度でそれぞれ照明することが可能となる。
【０００８】
また本発明において、前記第１の照明対象部は、前記第２の照明対象部よりも前記照明用光源から遠い位置に設けられ、前記第１の導光部材は、前記照明用光源が発する光を当該第１の導光部材が前記第１の照明対象部に導く導光路が、前記照明用光源が発する光を前記第２の導光部材が前記第２の照明対象部に導く導光路よりも長くなるような形状を有し、前記第１の導光部材の単位長さあたりの透光率は、前記第２の導光部材の単位長さあたりの透光率よりも高いのが好ましい（請求項２）。
【０００９】
このように前記第１の照明対象部に光を導く前記第１の導光部材の導光路が前記第２の照明対象部に光を導く前記第２の導光部材の導光路よりも長く設定されているとともに、この第１の導光部材の単位長さあたりの透光率が、前記第２の導光部材の単位長さあたりの透光率よりも高く設定されていれば、前記第１の照明対象部が前記照明用光源から遠い位置に設けられている場合においても、この第１の照明対象部に効率よく光を導くことができるとともに、この第１の照明対象部の照度と前記第２の照明対象部の照度との均一化を図ることができる。
【００１０】
また、本発明において、前記第１の導光部材と前記第２の導光部材とが二色成形されることにより単一の合成導光部材を構成するとともに、前記第１の導光部材が前記第１の照明対象部と前記照明用光源との間に介在し、かつ、前記第２の導光部材が前記第２の照明対象部と前記照明用光源との間に介在する位置に、前記合成導光部材が配置されているのが好ましい（請求項３）。
【００１１】
このようにすれば、第１の導光部材と第２の導光部材とを個別に組み付ける必要がなくなり、組み付けが容易になる。
【００１２】
ここで、前記照明用光源の設置位置としては、例えば、前記第１の導光部材と前記第２の導光部材との接続部分と対向する位置が挙げられる（請求項４）。
【００１３】
また、前記表示装置の適用例としては、特に限定されるものではないが、例えば所定の軸周りに回転可能な操作ノブを備える装置であって、所定の軸周りに回転可能な操作ノブを備え、当該操作ノブの表面にこの操作ノブと一体に回転可能なように前記第１の照明対象部が設けられており、前記操作ノブの表面から裏面側に離間した位置であって、平面視で当該操作ノブの外側を囲む位置に前記第２の照明対象部が設けられており、前記照明用光源により前記第１の照明対象部が照明されることで当該操作ノブの回転位置が表示されるとともに、前記照明用光源により前記第２の照明対象部が照明されることで当該操作ノブの外周部分が照明されるような装置が挙げられる。
【発明の効果】
【００１４】
以上のように、本発明によれば、各照明対象部の照度を適切に保ちつつ装置全体の小型化を図ることができるとともに、組み付けが容易になる表示装置を提供することができる。
【発明を実施するための最良の形態】
【００１５】
本発明の好ましい実施形態について図面を参照しながら説明する。
【００１６】
ここでは、本発明に係る表示装置がインストゥルメントパネルに取り付けられるロータリスイッチに適用された場合について説明する。
【００１７】
図１は、前記ロータリスイッチ１０および表示装置１がインストゥルメントパネル１００に取り付けられた状態を示す正面図であり、図２は図１に示す状態のロータリスイッチ１０等を所定の面で切断した場合の概略斜視図であり、図３は図１の概略断面図である。
【００１８】
前記ロータリスイッチ１０は、車両に取り付けられたエアコンを操作するためのものである。具体的には、このロータリスイッチ１０の操作によってエアコンのＯＮ／ＯＦＦ切り換えおよび温度調整が行われる。このロータリスイッチ１０は、図１等に示すように、スイッチ素子２０と、操作ノブ４０と、外枠１２０とを有しており、操作ノブ４０の一部がインストゥルメントパネル１００の表側に突出した状態で、このインストゥルメントパネル１００に取り付けられている。
【００１９】
前記表示装置１は、前記ロータリスイッチ１０の位置およびその操作状態を照明表示するためのものである。この表示装置１は、指針表示部（第１の照明対象部）４２と、合成導光部材５０と、複数のＬＥＤ（照明用光源）８０とを有している。後述するように、前記指針表示部４２は、前記操作ノブ４０の回転位置を表示するものであり、この表示装置１は、この指針表示部４２を照明することにより、夜間等においても前記ロータリスイッチ１０の操作状態の視認性を確保する。また、前記合成導光部材５０の一部には前記ＬＥＤ８０により照明される第２の照明対象部７２ａが設けられており、この表示装置１は、この第２の照明対象部７２ａを照明することにより、前記操作ノブ４０の周囲を照明して、操作ノブ４０の位置の視認性を確保する。
【００２０】
まず、前記ロータリスイッチ１０の具体的構成について説明する。
【００２１】
前記スイッチ素子２０は、ロータリスイッチ素子である。このスイッチ素子２０は、インストゥルメントパネル１００の裏側に設けられた回路基板１１０に実装されている。このスイッチ素子２０は、その上端部分が前記回路基板１１０の法線方向の軸周りに回転可能なものであって、このスイッチ素子２０の回転により本ロータリスイッチ１０の出力が変化する。
【００２２】
前記操作ノブ４０は、前記スイッチ素子２０を回転操作するためのものである。この操作ノブ４０は、前記インストゥルメントパネル１００から表側に突出する形状を有している。この操作ノブ４０は、外壁４０ａと蓋部４０ｂと２つのノブ側ストッパー４０ｄとで構成されている。これら外壁４０ａと蓋部４０ｂとノブ側ストッパー４０ｄとは互いに一体に形成されている。
【００２３】
前記外壁４０ａは、略筒状であって、前記スイッチ素子２０を外側から囲む形状を有している。また、前記蓋部４０ｂは、前記外壁４０ａの表側の開口部分を覆う形状を有している。この蓋部４０ｂの裏面には、前記スイッチ素子２０側に延びてこのスイッチ素子２０に係止される被係止部４０ｃが設けられている。そして、この被係止部４０ｃとスイッチ素子２０との係合によりこの蓋部４０ｂひいては操作ノブ４０がスイッチ素子２０に固定される。さらに、この係合により、前記操作ノブ４０と前記スイッチ素子２０とが一体に回転可能な状態となり、操作ノブ４０の回転操作によってスイッチ素子２０の出力変更が可能となる。
【００２４】
前記ノブ側ストッパー４０ｄは、前記操作ノブ４０の回転を規制するものである。このノブ側ストッパー４０ｄは、前記蓋部４０ｂの裏面側であって前記外壁４０ａの内周面から内側に突出する板状部材からなる。このノブ側ストッパー４０ｄは、図５に示すように、後述する導光体側ストッパー６６と当接することで、前記操作ノブ４０の回転を規制する。
【００２５】
前記外枠１２０は、前記操作ノブ４０の周囲を囲むものである。この外枠１２０は、その内周面と前記操作ノブ４０の外壁４０ａの外周面との間に、その全周にわたって隙間が形成されるような形状を有している。
【００２６】
次に、前記表示装置１の具体的構成について説明する。
【００２７】
前述のように、この表示装置１は、指針表示部４２と、合成導光部材５０と、複数のＬＥＤ８０とを有している。
【００２８】
前記指針表示部４２は、前記操作ノブ４０の回転位置、すなわち、前記スイッチ素子２０の出力状態を表示するためのものである。この指針表示部４２は、略直方体の形状を有する部材であり、前記操作ノブ４０の蓋部４０ｂの外周縁沿いにこの操作ノブ４０と一体に回転するよう固定されている。そして、この指針表示部４２は、前記操作ノブ４０の回転とともにスイッチ素子２０の周囲を移動することで、操作ノブ４０の回転位置を表示する。また、この指針表示部４２は、透光性を有しており、前記ＬＥＤ８０により照明されることで表側に発光する。そして、この発光により、夜間等において前記操作ノブ４０の回転位置を照明表示する。
【００２９】
前記ＬＥＤ８０は、前記指針表示部４２の照明用光源と後述する第２の照明対象部７２ａの照明用光源とに兼用されるものである。本実施形態では、前記指針表示部４２が設けられる前記操作ノブ４０の蓋部４０ｂの外周縁と第２の照明対象部７２ａとの略中間地点と対向する位置に、周方向に所定の間隔をおいて３つのＬＥＤ８０が設けられている。これら３つのＬＥＤ８０は、前記回路基板１１０に固定されており、表側に向かって発光する。
【００３０】
前記合成導光部材５０は、透光性を有する部材である。合成導光部材５０の概略斜視図を図４に示す。この図４に示すように、合成導光部材５０は、内側部材６０と外側部材７０とを有している。前記内側部材６０と外側部材７０とはいずれも透光性を有するものであるが、その透光率は互いに異なっている。そして、前記合成導光部材５０は、この透光率の異なる内側部材６０と外側部材７０とが二色成形等により一体に形成されることで構成されている。
【００３１】
前記外側部材７０は、照明部７２と支持部７４とを有している。
【００３２】
前記照明部７２は、前記内側部材６０を囲み前記回路基板１１０と平行に延びるドーナツ状の平板部材である。この照明部７２は、その内周面において前記内側部材６０に接続されている。ここで、本実施形態では、この照明部７２の表側面の一部が第２の照明対象部７２ａとして設定されている。具体的には、前記照明部７２の表側面のうち、前記操作ノブ４０の外壁４０ａの外周面と前記外枠１２０の内周面との間に形成された隙間にのぞむ部分が、前記第２の照明対象部７２ａに相当する。また、本実施形態では、前記照明部７２のうち、前記第２の照明対象部７２ａの裏側に位置する部分が第２の導光部材として機能する。より具体的には、前記第２の照明対象部７２ａと前記ＬＥＤ８０との間に介在する部分７２ｂが、前記第２の導光部材に相当する。
【００３３】
前記第２の照明対象部７２ａは、前記操作ノブ４０の周囲を照明するものである。また、前記第２の導光部材は、前記ＬＥＤ８０の光を前記照明対象部７２ａに導くものである。すなわち、この照明部７２では、まず、照明部７２のうち前記第２の導光部材に相当する部分７２ｂが、当該照明部７２の裏側面に入射した前記ＬＥＤ８０の光を表側面に導く。そして、この照明部７２の表側面に設けられた前記第２の照明対象部７２ａが前記光を受けて表側に発光する。
【００３４】
前記支持部７４は、前記照明部７２およびこの照明部に接続される前記内側部材６０を支持するものである。この支持部７４は、前記照明部７２の外周部分から裏面側に延びる形状を有しており、その裏側端部が前記回路基板１１０に固定されている。そして、この支持部７４は、前記固定によって、前記照明部７２を含む合成導光部材５０を前記回路基板１１０上に支持する。
【００３５】
前記内側部材６０は、第１の導光部材６１と導光体側ストッパー６６と有している。
【００３６】
前記第１の導光部材６１は、前記ＬＥＤ８０の光を前記指針表示部４２に導くものである。この第１の導光部材６１は、前記スイッチ素子２０を囲むようにして表裏に延びる形状を有している。具体的には、この第１の導光部材６１は、前記外側部材７０の照明部７２に接続される中央部６３と、この中央部６３の裏面から裏側に向けて延びるベース部６２と、前記中央部６３の表面から前記指針表示部４２に向けて突出する突出部６４とで構成されている。
【００３７】
前記ベース部６２は、前記ＬＥＤ８０から発せられた光が、その外周面に入射する位置に配置されている。また、前記突出部６４は、前記操作ノブ４０の外壁４０ａに囲まれた領域まで延びる形状を有している。そして、この第１の導光部材６１では、前記ベース部６２の外周面に入射した前記ＬＥＤ８０の光を、前記突出部６４の下端部で反射させつつ突出部６４の先端に導き、この突出部６４の先端から前記指針表示部４２へと進行させる。
【００３８】
ここで、本実施形態では、前記指針表示部４２が前記ＬＥＤ８０から比較的大きく離間した位置に設けられているので、前記第１の導光部材６１によって前記ＬＥＤ８０から前記指針表示部４２に向けて延びる比較的長い導光路が形成されており、前記ＬＥＤ８０の光が前記指針表示部４２に効率よく導かれるようになっている。具体的には、前記第１の導光部材６１の導光路は、前記第２の導光部材、すなわち、前記照明部７２のうち前記ＬＥＤ８０が発する光を前記第２の照明対象部７２ａに導く部分７２ｂよりも長い。
【００３９】
また、本実施形態では、前記ＬＥＤ８０に対して比較的近い位置に設けられる前記第２の照明対象部７２ａの照度と、前記ＬＥＤ８０に対して前記第２の照明対象部７２ａよりも離間した位置に設けられる前記指針表示部４２の照度とが均一になるように、前記第２の導光部材に相当する部分７２ｂを含む照明部７２の透光率と、前記第１の導光部材６１の透光率とを異ならせている。具体的には、前記照明部７２を、着色されたアクリルやポリカーボネイト系の合成樹脂で形成することで、その単位長さあたりの透光率を２０％以下に抑える一方、前記第１の導光部材６１を、透明あるいは半透明なアクリルやポリカーボネイト系の合成樹脂で形成することで、その単位長さあたりの透光率を９０％以上に設定しており、これによって、前記ＬＥＤ８０からの距離が異なる前記第２の照明対象部７２ａの照度と前記指針表示部４２の照度とを均一化している。
【００４０】
前記導光体側ストッパー６６は、前記第１の導光部材６１の突出部６４の外周面から径方向外側に突出する形状を有しており、前記操作ノブ側ストッパー４０ｄと当接することで前記操作ノブ４０の回転を規制する。本実施形態では、前記突出部６４の外周に２つの導光体側ストッパー６６が設けられており、これら２つの導光体側ストッパー６６で囲まれた範囲だけ前記操作ノブ４０が回転移動する。
【００４１】
次に、前記のように構成された表示装置１において、前記ＬＥＤ８０から発せられる照明光が前記指針表示部４２および前記第２の照明対象部７２ａを照明する様子について説明する。
【００４２】
前記ＬＥＤ８０が点灯すると、このＬＥＤ８０から発せられた光は、前記照明部７２の裏側面に入射する。この照明部７２の裏側面に入射した光は、その明るさが所定量に抑えられた状態で前記第２の導光部材に相当する部分７２ｂによって前記照明部７２の表側面へと導かれる。そして、この照明部７２の表側面に設けられた前記第２の照明対象部７２ａは、その裏面に前記ＬＥＤ８０からの光が導かれることで表側に発光する。この第２の照明対象部７２ａの表側から発せられた光は、さらに前記操作ノブ４０と前記外枠１２０との隙間から表側に透過して、前記操作ノブ４０の外側部分を照明する。これにより、運転者等は前記操作ノブ４０の位置を認識できるようになる。
【００４３】
また、前記ＬＥＤ８０から発せられた光は、同時に前記第１の導光部材６１のベース部６２の外周面にも入射する。そして、この光は前記第１の導光部材６１のベース部６２および前記中央部６３を通り前記突出部６４の下端部に導かれた後、この突出部６４の下端部で反射しつつ、この突出部６４により前記指針表示部４２に導かれる。ここで、前述のように、前記第１の導光部材６１は、その導光路が前記第２の導光部材に相当する部分７２ｂの導光路に比べて長く設定されている。一方、この第１の導光部材６１の単位長さあたりの透光率は、前記第２の導光部材に相当する部分７２ｂの単位長さあたりの透光率に比べて十分に大きな値に設定されている。従って、前記ＬＥＤ８０から発せられた光が導かれた前記指針表示部４２は、前記第２の照明対象部７２ａと同等の照度で発光し、前記操作ノブ４０の回転位置を表示する。
【００４４】
以上のように、本表示装置１では、前記指針表示部４２と第２の照明対象部７２ａとが共用のＬＥＤ８０により照明されており、これらを個別のＬＥＤ８０で照明する場合に比べて、ＬＥＤ８０の数およびその配設のためのスペースを削減することができる。これにより、表示装置１を小型化することができるとともに、その組み付けが容易になる。
【００４５】
しかも、本表示装置１では、前記指針表示部４２に前記ＬＥＤ８０の光を導光する第１の導光部材６１の単位長さあたりの透光率が、前記第２の照明対象部７２ａに前記ＬＥＤ８０の光を導光する前記第２の導光部材に相当する部分７２ｂの単位長さあたりの透光率よりも大きくなるよう設定されており、前記指針表示部４２の方が、前記第２の照明対象部７２ａよりも前記ＬＥＤ８０から離間した位置に設けられているにも関わらず、これら指針表示部４２と第２の照明対象部７２ａとをほぼ同一の照度で照明することが可能となる。
【００４６】
さらに、本表示装置１では、前記第１の導光部材６１を含む内側部材６０と前記第２の導光部材に相当する部分７２ｂを含む外側部材７０とが二色成形されることにより単一の合成導光部材５０を構成しており、前記内側部材６０と外側部材７０とを個別に組み付ける必要がなくなり、組み付けが容易になる。
【００４７】
また、前記ＬＥＤ８０が、前記指針表示部４２と前記第２の照明対象部７２ａとの中間位置と略対向する位置に設けられており、このＬＥＤ８０の光は、前記指針表示部４２と第２の照明対象部７２ａとのいずれにも効率よく入射される。
【００４８】
ここで、本発明に係る表示装置の適用については、前記のようなロータリスイッチ１０に限られない。例えば、図６に示すように、インストゥルメントパネル１００等に固定される表示パネル２１０を有し、第１の照明対象部２６２と第２の照明対象部２７２とがいずれも前記表示パネル２１０上に設けられており、この表示パネル２１０と平行な方向についてこれら照明対象部２６２，２７２と照明用光源２８０との距離がそれぞれ異なり、第１の導光部材２６１と第２の導光部材２６１とが互いに離間する方向に延びるような装置にも適用可能である。
【００４９】
また、前記合成導光部材５０の具体的な構造は前記に限らない。例えば、前記内側部材６０と外側部材７０とは、別体であってもよい。また、前記第１の導光部材６１の透光率が、第２の導光部材に相当する部分７２ｂの透光率よりも小さく設定されていてもよい。
【図面の簡単な説明】
【００５０】
【図１】本発明に係る表示装置およびロータリスイッチがインストゥルメントパネルに取り付けられた状態を示す正面図である。
【図２】図１に示す状態の表示装置およびロータリスイッチを所定の面で切断した場合の概略斜視図である。
【図３】図１の概略断面図である。
【図４】図１に示す表示装置に設けられる合成導光部材５０の概略斜視図である。
【図５】図１に示すロータリスイッチの回転が規制された状態を示す概略正面図である。
【図６】本発明にかかる表示装置の他の実施形態を示す概略断面図である。
【符号の説明】
【００５１】
１    表示装置
１０    ロータリスイッチ
２０    スイッチ素子
４０    操作ノブ
４２    指針表示部（第１の照明対象部）
５０    合成導光部材
６０    内側部材
６１    第１の導光部材
６２    ベース部
６３    中央部
６４    突出部
７０    外側部材
７２    照明部
７２ａ  第２の照明対象部
７２ｂ  第２の導光部材
７４  支持部
８０  ＬＥＤ（照明用光源）
１００  インストゥルメントパネル
１１０  回路基板
１２０  外枠
２６１  第１の導光部材（他の実施形態）
２６２  第１の照明対象部
２７１  第２の導光部材
２７２  第２の照明対象部
２８０  ＬＥＤ（照明用光源）
【図１】
2008311056.tif 000003
【図２】
2008311056.tif 000004
【図３】
2008311056.tif 000005
【図４】
2008311056.tif 000006
【図５】
2008311056.tif 000007
【図６】
2008311056.tif 000008